(57)【要約】【課題】ワークの上方には一切、何も置くことなくワークの位置を決めることが出来、又溶接しようとする際障害物がないので非常に効率よくスムーズに溶接が出来、かつ装置のコストも安く出来るワークの溶接位置決め装置を提供すること。【解決手段】一方のエアシリンダー（１）と，それを固定する部材（２）と，他方のエアシリンダー（４）と，それを固定する部材（３）と，一方のエアシリンダー（１）と他方のエアシリンダー（４）をジョイントする手段（５）と，一方のエアシリンダー（１）に設けられているバルブ（６）と，他方のエアシリンダー（４）に設けられている吸着パッド（７）と，からなり、当該第一方のエアシリンダー（１）と当該バルブ（６）とがパイプ（８）で継がっていること，当該他方のエアシリンダー（４）と吸着パッド（７）とがパイプ（９）で継がっていることからなる。【選択図】図２
0003147554.tif 000002
【実用新案登録請求の範囲】
【請求項１】
一方のエアシリンダー（１）と，それを固定する部材（２）と，他方のエアシリンダー（４）と，それを固定する部材（３）と，当該固定する部材（２，３）を固定するベースプレートと、
一方のエアシリンダー（１）と他方のエアシリンダー（４）をジョイントする手段（５）と，一方のエアシリンダー（１）に設けられているバルブ（６）と，
他方のエアシリンダー（４）に設けられている吸着パッド（７）と，からなり、
当該第一方のエアシリンダー（１）と当該バルブ（６）とがパイプ（８）で継がっていること，当該他方のエアシリンダー（４）と吸着パッド（７）とがパイプ（９）で継がっていることを特徴とするワークの溶接位置決め装置。
【請求項２】
前記吸着パッド（７）がパッキン（１０）及びエア吸排気用穴（１１）を有することを特徴とする請求項１又は２記載のワークの溶接位置決め装置。
【考案の詳細な説明】
【技術分野】
【０００１】
本考案は、ワーク（溶接対象物）を溶接する際にワークとワークの位置を正確に位置決めする装置に関する。
【背景技術】
【０００２】
従来、ワークとワークを溶接する場合、ワークとワークの溶接部分を同じ高さに保つため、その溶接部分の位置を決めるための装置の所定の部分がワークの上に置かれ上から押圧して位置を決める、ということが行われていた（例えば、特許文献１参照。）。
【特許文献１】特開２００１−１９８７５４号（［０００２］、［００１８］）
【考案の開示】
【考案が解決しようとする課題】
【０００３】
前記、従来技術のように、位置決め装置がワークの上方にある場合、溶接しようとする際に邪魔になること、装置が大きくて製造コストがかかる等という問題点があった。
【０００４】
そこで、本考案は、ワークの上方には一切、何も置くことなくワークの位置を決めることが出来、又溶接しようとする際障害物がないので非常に効率よくスムーズに溶接が出来、かつ装置のコストも安く出来るワークの溶接位置決め装置を提供することを目的とする。
【課題を解決するための手段】
【０００５】
前記目的を達成するため、本考案のワークの溶接位置決め装置は、一方のエアシリンダーと，それを固定する部材と，他方のエアシリンダーと，それを固定する部材と，当該固定する部材を固定するベースプレートと、一方のエアシリンダーと他方のエアシリンダーをジョイントする手段と，一方のエアシリンダーに設けられているバルブと，他方のエアシリンダーの設けられている吸着パッドと，からなり、当該第一方のエアシリンダーと当該バルブとがパイプで継がっていること，当該他方のエアシリンダーと吸着パッドとがパイプで継がっていることからなる。
【０００６】
又前記吸着パッドがパッキン及びエア吸排気用穴を有するものである。
【考案の効果】
【０００７】
そこで、本考案は、ワークの上方には一切、何も置くことなくワークの位置を決めることが出来、又溶接しようとする際障害物がないので非常に効率よくスムーズに溶接が出来、かつ装置の製造コストも安く出来、さらに、本願考案は真空によりワークを吸着するのでワークがどのような材質、たとえば金属以外のプラスチック、ガラス等であっても使用出来るものである。
【考案を実施するための最良の形態】
【０００８】
以下、本考案の最良の形態の一例を図面に従って説明する。
【０００９】
図１は従来のワークの溶接位置決め装置を示す図であり、ワーク１２，１２’の上部にワークの溶接位置決め装置１３，１３’の一部が置かれている状態を示している。ワーク１２，１２’の上部にワークの溶接位置決め装置１３，１３’の一部が置かれているため、この装置１３，１３’が邪魔になり溶接をしづらくしているものである。
【００１０】
図２は本考案のワークの溶接位置決め装置を示す斜視図である。
一方のエアシリンダー１がこのエアシリンダーを固定する部材２に設置され、パイプ８を介してバルブ６（手動でも、電動でも良い。）とこのエアシリンダー１が継がっている。矢印はバルブ６のハンドルが動く方向を示している。他方のエアシリンダー４がこれを固定する部材３に設置されパイプ９を介して吸着パッド７に継がっている。一方のエアシリンダー１と他方のエアシリンダー４はシャフト５等でジョイントされている。
【００１１】
バルブ６を作動させて一方のエアシリンダー１の弁１４をＡの位置からＢの位置へ移動させると、空気圧の変化（真空状態）により他方のエアシリンダー４の弁１５もＡ位置からＢ位置へと移動する。
【００１２】
他方のエアシリンダー４の弁１５がＡ位置からＢ位置へと移動するとＡ位置とＢ位置の間は真空状態になる。
【００１３】
図３は吸着パッドの裏面図であり、図４は本考案のワークの溶接位置決め装置を２台使用した使用状態を示す図である。
吸着パッド７，７’のエア吸排気用穴１１がパイプ９，９’と継がっており、他方のエアシリンダー４のＡ位置からＢ位置への移動により生じる真空状態によりワーク１２，１２’とピッタリ吸着するものである。パッキン１０は吸着をさらによくする働きをするものであるが、吸着をよくする働きをするものであれば、パッキンでなくともその他のものでも良い。
【００１４】
図面では、２台のワークの溶接位置決め装置を使用している状態を示しているが、その他に、パイプ９にコックをつけてもうひとつパイプを設け、そのパイプにもうひとつの吸着パッドを設けることによりワークの溶接位置を決めることも出来る（図示せず。）。
なお、一方のエアシリンダー１を固定する部材２と他方のエアシリンダー４を固定する部材４は同じベースプレート（図示せず）に固定されており、一方のエアシリンダー１が動作すると、他方のエアシリンダー４がシャフト５等のジョイントによって移動するため、真空状態を作り出すことが可能である。他方のエアシリンダー４に設けられた吸着パッド７が設けられていることにより、ワークを保持することができる。
【００１５】
エアシリンダーは物を押したり引いたりすることに使用するもので真空状態を作る、利用するという目的で使用されていない。しかし本考案はエアシリンダーにより前記のように真空状態を作り、それを利用してワークの溶接位置を決めるものなので、ワークの材質は金属に限らずプラスチック、ガラス等何でも良いことになる。
【００１６】
他方のエアシリンダー４は図面では一方のエアシリンダー１より大きくなっているが、エアシリンダー１，４の大きさはワークの大きさ、材質等により、大小自由に変更することが出来る。
特に他方のエアシリンダー４の場合、吸引力を大きくしようとすれば大きく、吸引力を小さくしようとすれば小さくすれば良い。
【００１７】
本考案の装置はこのようにエアシリンダーを２台使用することにより製造され、構造も簡単なので非常に安く作ることが出来、かつ操作も簡単である。
【図面の簡単な説明】
【００１８】
【図１】従来のワークの溶接位置決め装置を示す図である。
【図２】本考案のワークの溶接位置決め装置を示す斜視図である。
【図３】本考案の吸着パッドの裏面図である。
【図４】本考案のワークの溶接位置決め装置を２台使用した使用状態を示す図である。
【符号の説明】
【００１９】
１            一方のエアシリンダー
２，３        固定する部材
４            他方のエアシリンダー
５            ジョイントする手段
６            バルブ
７            吸着パッド
８，９，９’  パイプ
１０          パッキン
１１          エア吸排気用穴
１２，１２’  ワーク
１３，１３’  従来の溶接位置決め装置
１４，１５    エアシリンダーの弁
【図１】
0003147554.tif 000003
【図２】
0003147554.tif 000004
【図３】
0003147554.tif 000005
【図４】
0003147554.tif 000006